(57)【要約】【課題】緊急避難時に多目的に使用できるレスキューシートを提案すること。【解決手段】レスキューシート１は、同一構成の第１および第２の複合シート２、３を、四周縁部分のみを接合した状態で重ね合わせた構成となっており、第１の複合シート２には、当該第１の複合シートをその厚さ方向に切断している所定長さの切り込み４が形成されている。ここから足を入れて第１、２の複合シートの間に入り込むことにより寝袋などとして利用できる。四周縁部分５には、第１および第２の複合シート２、３をそれらの厚さ方向に切断している所定長さの持ち手用の切り込み６が複数箇所に形成されている。持ち手用の切り込み６を利用して、レスキューシート１を担架として用いて人を運ぶことができる。また、レスキューシート１を敷物として用いることもできる。【選択図】図１
0003114828.tif 000002
【実用新案登録請求の範囲】
【請求項１】
長方形の第１の複合シートと、
長方形の第２の複合シートと、
前記第１の複合シートを厚さ方向に切断している所定長さの切り込みとを有し、
前記第１および第２の複合シートのそれぞれは、防水性シートの片面に弾性シートが積層接合されており、
これら第１および第２の複合シートは、前記弾性シートを向かい合わせた状態で、四周縁部分のみが相互に接合されており、
前記切り込みは、前記第１の複合シートにおける一方の短辺縁に偏った位置において、前記第２の複合シートに接合されている左右の長辺縁部分の内側の部位に形成されていることを特徴とするレスキューシート。
【請求項２】
請求項１において、
長方形の１枚の複合シートが二つに折り畳まれ、折り畳み線を挟み、一方の側が前記第１の複合シートとされ、他方の側が前記第２の複合シートとされていることを特徴とするレスキューシート。
【請求項３】
請求項１または２において、
前記第１および第２の複合シートが相互に接合されている四周縁部分には、これら第１および第２の複合シートを厚さ方向に切断している所定長さの持ち手用の切り込みが複数形成されていることを特徴とするレスキューシート。
【請求項４】
請求項３において、
前記第１および第２の複合シートは長辺が短辺の２倍の長さの長方形であり、
前記持ち手用の切り込みとして、短辺縁部分に沿って一定間隔で形成した２本の短辺側切り込みと、長辺縁部分に沿って一定間隔で形成した４本の長辺側切り込みとが形成されていることを特徴とするレスキューシート。
【請求項５】
請求項４において、
短辺縁部分の両端から各短辺側切り込みまでの距離と、長辺縁部分の両端から両側の長辺側切り込みまでの距離とが同一であることを特徴とするレスキューシート。
【請求項６】
複数枚のレスキューシートと、
各レスキューシートを平面方向に連結するための連結具とを有し、
前記レスキューシートは請求項５に記載のものであり、
前記連結具は、前記持ち手用の切り込みに差し通すことのできる連結バンドと、当該連結バンドの両端部分を着脱可能に連結するための面状ファスナなどからなる連結部とを備えていることを特徴とするレスキューシートセット。
【考案の詳細な説明】
【技術分野】
【０００１】
本考案は、緊急避難時に、寝袋、物入れ、敷物、担架等として多目的に使用できるレスキューシートに関するものである。
【背景技術】
【０００２】
阪神大震災や新潟中越地震などのような大災害時には、緊急避難のために持ち出して使用できるシートが必要となる。このようなシートはレスキューシートと呼ばれ、薄手のシート状のもの、寝袋として使用できるものなどが市販されている。
【考案の開示】
【考案が解決しようとする課題】
【０００３】
本考案の課題は、既存のレスキューシートに比べて、簡単に使用でき、また、多目的に使用できるレスキューシートを提案することにある。
【課題を解決するための手段】
【０００４】
上記課題を解決するために、本考案のレスキューシートは、長方形の第１の複合シートと、長方形の第２の複合シートと、前記第１の複合シートを厚さ方向に切断している所定長さの切り込みとを有し、前記第１および第２の複合シートのそれぞれは、防水性シートの片面に弾性シートが積層接合されており、これら第１および第２の複合シートは、前記弾性シートを向かい合わせた状態で、四周縁部分のみが相互に接合されており、前記切り込みは、前記第１の複合シートにおける一方の短辺縁に偏った位置において、前記第２の複合シートに接合されている左右の長辺縁部分の内側の部位に形成されていることを特徴としている。
【０００５】
ここで、本考案のレスキューシートは、２枚の複合シートを積層接着して構成する代わりに、１枚の複合シートを二つに折り畳むことにより構成することもできる。
【０００６】
本考案のレスキューシートは、第１の複合シートに形成されている切り込みに足から入れば寝袋として使用できる。第１および第２の複合シートは、防水性シートおよび弾性シートの複合体であるので、保温性およびクッション性を備え、寝心地がよい。
【０００７】
また、本考案のレスキューシートは、避難した場所において敷物として用いることができる。積層状態の第１および第２の複合シートの上に座るので、防水性、保温性およびクッション性があり、凹凸のある地面に敷いた場合においても座り心地が良い。
【０００８】
次に、本考案のレスキューシートは、前記第１および第２の複合シートが相互に接合されている四周縁部分に、これら第１および第２の複合シートを厚さ方向に切断している所定長さの持ち手用の切り込みが複数形成されていることを特徴としている。
【０００９】
レスキューシートの上にけが人などを乗せ、四周縁にある切り込みに手を入れて当該レスキューシートを持ち上げて運ぶことができる。したがって、レスキューシートを担架として利用することができる。
【００１０】
ここで、前記第１および第２の複合シートを長辺が短辺の２倍の長さの長方形とし、前記持ち手用の切り込みとして、短辺縁部分に沿って一定間隔で形成した２本の短辺側切り込みと、長辺縁部分に沿って一定間隔で形成した４本の長辺側切り込みとを形成しておくことが望ましい。
【００１１】
また、この場合に、短辺縁部分の両端から各短辺側切り込みまでの距離と、長辺縁部分の両端から両側の長辺側切り込みまでの距離とを同一とすることが望ましい。
【００１２】
この構成のレスキューシートを用いれば、多数枚のレスキューシートを平面状に敷き詰めた場合に、隣接するレスキューシートの持ち手用の切り込みが隣接して位置した状態になる。したがって、持ち手用の切り込みを利用して、隣接するレスキューシートがずれないように、相互に連結することが可能である。したがって、避難した多数の人を臨時に休憩させることのできる広い敷物を簡単に構成できるので便利である。
【００１３】
ここで、連結具としては、持ち手用の切り込みに差し通すことのできる連結バンドと、当該連結バンドの両端部分を着脱可能に連結するための面状ファスナなどからなる連結部とを備えた構成のものを用いればよい。
【考案の効果】
【００１４】
以上説明したように、本考案のレスキューシートは、保温性およびクッション性のある寝袋および敷物として用いることができ、物や水を入れる袋、浮き袋の代用品などとしても用いることができる。また、四周縁部分に持ち手用の切り込みを形成した場合には、持ち運びが便利な担架として用いることができる。
【考案を実施するための最良の形態】
【００１５】
以下に、図面を参照して、本考案を適用したレスキューシートの一例を説明する。
【００１６】
図１(ａ)は本考案を適用したレスキューシートを示す平面図であり、図１(ｂ)はその断面図である。レスキューシート１は、長辺と短辺の比が２：１の長方形をしており、同一構成の第１の複合シート２および第２の複合シート３から構成されている。また、第１の複合シート２には、当該第１の複合シート２をその厚さ方向に切断している所定長さの切り込み４が形成されている。さらに、図において網掛け状態で示す四周縁部分５には、各短辺において２本、各長辺において４本の持ち手用の切り込み６１ａ〜６６ａ、６１ｂ〜６６ｂが形成されている。これらの切り込みは、第１および第２の複合シート２、３をそれらの厚さ方向に切断している所定長さの切り込みである。なお、以下の説明においては、これらの切り込みを総称して、あるいは、そのうちの一つを切り込み６と呼ぶ場合がある。
【００１７】
第１および第２の複合シート２、３のそれぞれは、長方形の防水性シート１１と、当該防水性シート１１の表面に積層接着した長方形の弾性シート１２からなる積層シートである。防水性シート１１は、例えば、ポリエチレン製の不織布であり、弾性シート１２は、例えば、発泡ポリエチレン製のシートである。これらの複合シート２、３は、弾性シート１２を相互に向かい合わせた状態で重ね合わせて、それらの四周縁部分５のみが相互に、接着接合、熱融着などの方法により強固に接合された接合部７とされている。
【００１８】
第１の複合シート２に形成されている切り込み４は、当該第１の複合シート２における一方の短辺縁１１ａに偏った位置において、左右の長辺縁部分１２ａ、１２ｂの内側の部位に形成されている。本例では短辺方向(シート幅方向)に直線状に延びている。短辺方向に傾斜した方向に延びる切り込みとすることもでき、また、湾曲状の切り込みとすることもできる。
【００１９】
四周縁部分に形成されている持ち手用の切り込み６には、前後の短辺縁部分１１ａ、１１ｂに沿って一定間隔で形成した２本の短辺側切り込み６１ａ、６２ａ、６１ｂ、６２ｂと、左右の長辺縁部分１２ａ、１２ｂに沿って短辺側と同一間隔で形成した４本の長辺側切り込み６３ａ〜６６ａ、６３ｂ〜６６ｂとが含まれている。ここで、短辺縁部分１１ａ、１１ｂの両端から各短辺側切り込み６１ａ、６２ａ、６１ｂ、６２ｂまでの距離と、長辺縁部分１２ａ、１２ｂの両端から両側の長辺側切り込み６３ａ、６６ａ、６３ｂ、６６ｂまでの距離とが同一となっている。
【００２０】
本例のレスキューシート１は寝袋として用いることができる。すなわち、切り込み４に足から入ると、図２に示すように、第１および第２の複合シート２、３の間に入り込むことができ、寝袋として用いることができる。また、日中などにおいては、物入れとして用いることができる。さらには、川などを渡る場合には浮き袋として代用することも可能である。
【００２１】
次に、けが人などを乗せるための担架として用いることができる。この場合には、レスキューシート１に人を乗せ、例えば、左右から二人の人が、長辺縁部分１２ａ、１２ｂに形成されている持ち手用の切り込み６３ａ〜６６ａ、６３ｂ〜６６ｂに手を差し込み、当該部分を握ることにより、簡単に、人を乗せたレスキューシート１を持ち上げて運ぶことができる。勿論、荷物を乗せて運ぶことも可能である。
【００２２】
また、担架などとして用いる場合には、持ち手用の切り込みを利用して、ロープなどを通して、レスキューシート１に乗せた患者の身体を固定することもできる。
【００２３】
一方、本例のレスキューシート１は敷物として用いることができる。この場合には、例えば、図３に示すように、多数枚のレスキューシートを縦横に敷き詰めればよい。敷き詰めたレスキューシートがずれないようにするためには、これらを相互に連結することが望ましい。
【００２４】
本例のレスキューシート１は、敷き詰めた状態においては、隣接するレスキューシート１の持ち手用切り込み６１ａ〜６６ａ、６１ｂ〜６６ｂの位置が一致するようになっている。したがって、隣接するレスキューシート１を、持ち手用切り込みを利用して簡単に連結して固定できる。
【００２５】
例えば、図４に示すような連結具８を用いることができる。この連結具８は、持ち手用の切り込み６に差し通すことのできる幅の連結バンド８１と、当該連結バンド８１の両端部分を着脱可能に連結するために、一方の端部分に取り付けた雄側面状ファスナ８２および、他方の端部分に取り付けた雌側面状ファスナ８３とを備えている。図に示すように、連結バンド８１の両端部分を、レスキューシート１の一方の側から持ち手用の切り込み６に通して反対側に出し、これらを折り畳むことにより、雄側面状ファスナ８２に雌側面状ファスナ８３を重ね合わせて連結すればよい。
【００２６】
なお、レスキューシート１の長辺と短辺の比が２：１の場合について説明したが、この比は２：１以外であっても構わないことは勿論である。標準体形の大人を想定した場合には、長辺２００cmおよび短辺１００cmのサイズとすればよいが、例えば、１８０cm以上の身長の人を想定すると、長辺を２２０cm程度にすることが望ましく、この場合には、長辺と短辺の比が必ずしも２：１にはならない。
【実施例】
【００２７】
次に、上記構成のレスキューシートの実施例を説明する。図５に示すように、本例のレスキューシート１の大きさを、内部に何も収容していない状態における長辺の長さ２０００mm、短辺の長さ１０００mm、厚さ約４０mmとした。また、切り込み４は、前側の短辺縁から約３００mmの位置において、短辺と平行に約８００mmの長さで形成した。さらに、第１および第２の複合シート２、３の四周縁部分５の接合部７の幅を約３０mmとした。四周縁部分５には、長さが１２０mmの持ち手用の切り込み６を形成した。
【図面の簡単な説明】
【００２８】
【図１】本考案に係るレスキューシートの平面図および断面図である。
【図２】図１のレスキューシートを寝袋として利用している状態を示す説明図である。
【図３】図１のレスキューシートを多数枚敷き詰めて敷物として利用する状態を示す説明図である。
【図４】図３のレスキューシートを相互にずれないように連結するための連結具を示す説明図である。
【図５】本考案のレスキューシートの実施例を示す説明図である。
【符号の説明】
【００２９】
１  レスキューシート
２  第１の複合シート
３  第２の複合シート
４  切り込み
５  四周縁部分
６(６１ａ〜６６ａ、６１ｂ〜６６ｂ)  持ち手用の切り込み
７  接合部
８  連結具
１１  防水性シート
１２  弾性シート
８１  連結ベルト
８２、８３  面状ファスナ
【図１】
0003114828.tif 000003
【図２】
0003114828.tif 000004
【図３】
0003114828.tif 000005
【図４】
0003114828.tif 000006
【図５】
0003114828.tif 000007